(57)【要約】【課題】回り止め部材の緩衝効果を確実、かつ、長年に渡って得ることが出来る回転部材の取り付け構造を提供する。【解決手段】同期モータの回転軸１４に回転部材１０を取り付ける構造であって、回転部材１０の中心にある円筒状のボス２４と、ボス２４の内周側に配される回り止め部材１６と、ブラケット２０と、クッション部材１８とを少なくとも有し、クッション部材１８は、ボス２４の第１凹部３４とブラケット２０の第２凹部４２との間に保持されることにより、回り止め部材１６と共に回転するものである。【選択図】      図１
2005172121.tif 000002
【特許請求の範囲】
【請求項１】
モータの回転軸に羽根車、プロペラ、ファンなどの回転部材を取り付ける構造において、
前記回転部材の中心にある円筒状のボスと、前記ボスの内周側に配される回り止め部材と、ブラケットと、クッション部材とを少なくとも有し、
前記回り止め部材の中心に前記回転軸が固定され、
前記ボスの中心部に前記回転軸の先端部が保持される保持孔が開口し、また、この保持孔の外周側に前記クッション部材が嵌め込まれる第１凹部が刻設され、
前記ブラケットの中心部に前記回転軸が貫通する貫通孔が開口し、また、この貫通孔の外周側に前記クッション部材が嵌め込まれる第２凹部が刻設され、
前記クッション部材は、前記ボスと前記ブラケットを組み立てた場合に、前記第１凹部と前記第２凹部との間に保持されることにより前記回り止め部材を受け止める
ことを特徴とする回転部材の取り付け構造。
【請求項２】
前記モータが、同期モータである
ことを特徴とする請求項１記載の回転部材の取り付け構造。
【請求項３】
前記クッション部材が、ゴム製である
ことを特徴とする請求項１記載の回転部材の取り付け構造。
【請求項４】
前記クッション部材の平面形状が、扇形である
ことを特徴とする請求項１記載の回転部材の取り付け構造。
【請求項５】
前記モータが、洗濯機、食器洗い器用のポンプ、または、ブロワの駆動源である
ことを特徴とする請求項１記載の回転部材の取り付け構造。
【発明の詳細な説明】
【技術分野】
【０００１】
本発明は、同期モータなどのモータの回転軸に羽根車、プロペラ、ファンなどの回転部材を取り付ける構造に関するものである。
【背景技術】
【０００２】
洗濯機などのポンプにおいては、構造が簡単でそのコストが安い同期モータがよく使用されている。
【０００３】
ところが、この同期モータは、始動トルクが小さいため、その始動時に回転軸における回転角の遊びを設ける必要がある。
【０００４】
そのために、回転方向に遊びを有するカップリング部材がポンプの羽根車に用いられている発明が提案されている（特許文献１）。
【特許文献１】ＥＰ０４８１４１０公報
【発明の開示】
【発明が解決しようとする課題】
【０００５】
上記構成の回転部材の取り付け構造においては、同期モータの回転によって最初の部分だけ空転して加速された回り止め部材が、ボスに衝突して同期回転を行う構造となっている。
【０００６】
上記のような回転部材の取り付け構造においては、回り止め部材の衝撃を和らげるためにクッション部材を入れる場合がある。
【０００７】
このようなクッション部材としては、その衝撃を和らげるために柔らかさが必要となるが、あまり柔らかいものを使用すると強度が低下するため、ある程度緩衝効果を犠牲にした硬めの材料（例えば、合成樹脂）が用いられている。
【０００８】
また、回転部材の力を受けてクッション部材が変形するため、このクッション部材を取り付ける場合にはある程度の隙間を設ける必要がある。しかし、これによりクッション部材が回転部材内部で位置ずれを起こし元の取り付け位置に戻らず、緩衝効果を損ねるという問題点もある。
【０００９】
そこで、本発明は上記問題点に鑑み、回り止め部材の緩衝効果を確実、かつ、長年に渡って得ることが出来る回転部材の取り付け構造を提供するものである。
【課題を解決するための手段】
【００１０】
請求項１に係る発明は、モータの回転軸に羽根車、プロペラ、ファンなどの回転部材を取り付ける構造において、前記回転部材の中心にある円筒状のボスと、前記ボスの内周側に配される回り止め部材と、ブラケットと、クッション部材とを少なくとも有し、前記回り止め部材の中心に前記回転軸が固定され、前記ボスの中心部に前記回転軸の先端部が保持される保持孔が開口し、また、この保持孔の外周側に前記クッション部材が嵌め込まれる第１凹部が刻設され、前記ブラケットの中心部に前記回転軸が貫通する貫通孔が開口し、また、この貫通孔の外周側に前記クッション部材が嵌め込まれる第２凹部が刻設され、前記クッション部材は、前記ボスと前記ブラケットを組み立てた場合に、前記第１凹部と前記第２凹部との間に保持されることにより前記回り止め部材を受け止めることを特徴とする回転部材の取り付け構造である。
【００１１】
請求項２に係る発明は、前記モータが、同期モータであることを特徴とする請求項１記載の回転部材の取り付け構造である。
【００１２】
請求項３に係る発明は、前記クッション部材が、ゴム製であることを特徴とする請求項１記載の回転部材の取り付け構造である。
【００１３】
請求項４に係る発明は、前記クッション部材の平面形状が、扇形であることを特徴とする請求項１記載の回転部材の取り付け構造である。
【００１４】
請求項５に係る発明は、前記モータが、洗濯機、食器洗い器用のポンプ、または、ブロワの駆動源であることを特徴とする請求項１記載の回転部材の取り付け構造である。
【発明の効果】
【００１５】
請求項１に係る発明の回転部材の取り付け構造であると、クッション部材は、ボスとブラケットを組み立てた場合に、第１凹部と第２凹部との間に保持されることにより、回り止め部材の回転を阻止する。この場合に、クッション部材は第１凹部と第２凹部との間に保持されているため位置ずれが起こることが無く、また、クッション部材と第１凹部と第２凹部との間にある程度の隙間を設けても緩衝効果を高めても、クッション部材がその位置からずれることが無い。
【００１６】
請求項２に係る発明の回転部材の取り付け構造は、モータが同期モータであるため、始動トルクが小さくても、回り止め部材とクッション部材との間にある程度の遊びを設けておけば、回り止め部材がクッション部材に至るまで低いトルクで同期モータを回転させることが出来るので、同期モータの始動を容易に行うことが出来る。
【００１７】
請求項３に係る発明の回転部材の取り付け構造においては、クッション部材がゴム製であり、その緩衝効果をより上げることが出来る。
【００１８】
請求項４に係る発明の回転部材の取り付け構造においては、クッション部材の平面形状が扇形であるため、回転軸の外周側にクッション部材を配置し易い。
【発明を実施するための最良の形態】
【００１９】
以下、本発明の一実施形態の回転部材１０の取り付け構造について説明する。なお、本実施形態は、同期モータの回転軸１４にポンプの羽根車１２を取り付ける構造である。
【００２０】
（１）回転部材１０の構成
回転部材１０の部品としては、回転軸１４、羽根車１２以外に、回り止め部材１６、クッション部材１８、ブラケット２０、Ｏリング２２からなる。
【００２１】
羽根車１２は、その中心にある円筒形のボス２４から４枚の羽根２６が突出している。また、ボス２４の内部には、クッション部材１８、回り止め部材１６を収納するための収納空間２８が設けられている。
【００２２】
図１において、収納空間２８の上面３０の中心部には、回転軸１４の先端部を保持するための保持孔３２が設けられている。この保持孔３２の外周側には、平面形状が扇形の第１凹部３４が刻設されている。
【００２３】
収納空間２８の内周壁の下端部近傍には、ブラケット２０を固定するための溝３６が設けられている。
【００２４】
クッション部材１８は、ゴム製であって、平面形状が扇形である。
【００２５】
ブラケット２０は、円板形であり、その中心部に回転軸１４が貫通する貫通孔３８と、この貫通孔３８から連続して設けられている段部４０が設けられている。
【００２６】
この貫通孔３８及び段部４０の外周側には、扇形のクッション部材１８を保持するための第２凹部４２が設けられている。この第２凹部４２は、平面形状が扇形である。
【００２７】
ブラケット２０の外周部には、溝３６と係合するための突状が設けられている。
【００２８】
回り止め部材１６は、図１に示すように棒状を成し、その基部付近には回転軸１４を固定するための貫通した固定孔４６が設けられている。
【００２９】
（２）回転部材１０の組み立て方法
この回転軸１４を組み立てる方法について説明する。
【００３０】
ブラケット２０の貫通孔３８に回転軸１４を挿通し、Ｏリング２２を回転軸１４に嵌め込む。また、回り止め部材１６の固定孔４６にも回転軸１４を挿通し、回転軸１４の先端部を固定孔４６から突出させる。
【００３１】
クッション部材１８をブラケット２０の第２凹部４２に嵌め込む。
【００３２】
羽根車１２のボス２４の下端部に、前記組み立てたブラケット２０を嵌め込む。この場合に回転軸１４の先端部は保持孔３２に嵌め込み、クッション部材１８の上部がボス２４の第１凹部３４に嵌め込む。また、Ｏリング２２が段部４０の位置にくるようにする。そして、溝３６に突条４４を嵌め込んで、ブラケット２０とボス２４とを固定する。なお、Ｏリング２２は回り止め部材１６とボス２４との振動を防止する緩衝材の役割を果たしている。
【００３３】
（３）回転部材１０の機能
上記構成の回転部材１０の機能について、図２及び図３に基づいて説明する。
【００３４】
同期モータの始動時には始動トルクを低く抑えるために、回り止め部材１６をボス２４に対し空転させる必要がある。そのため、図３に示すように、クッション部材１８から所定の角度を回転させた位置で回り止め部材１６を配置しておく。このようにすることで、回り止め部材１６が回転して図３における２点鎖線の位置まで回転するまで、回り止め部材１６がクッション部材１８に接触すること無く、回転軸１４がボス２４に対し空転する。
【００３５】
そして、空転して回り止め部材１６がクッション部材１８の位置まで来ると、回り止め部材１６がクッション部材１８に当たり、ボス２４が回転をし始める。この場合に、クッション部材１８は、ボス２４の第１凹部３４とブラケット２０の第２凹部４２との間に挟まれているため（図２参照）、クッション部材１８がこの位置からずれること無く、回り止め部材１６と共に回転しボス２４も回転する。そして、クッション部材１８はゴム製であるため回り止め部材１６が当たっても、丈夫で柔らかな緩衝効果を得ることが出来る。
【００３６】
また、回り止め部材から力を受けたときの変形に要する隙間を大きくしても、クッション部材１８の姿勢が損なわれることがない。なお、この隙間は、第１凹部３４をクッション部材１８よりやや大きくしておき、第２凹部４２も同様にクッション部材１８よりやや大きくすることにより形成することが出来る。
【産業上の利用可能性】
【００３７】
本発明の回転部材の取り付け構造は、洗濯機、食器洗い器用のポンプ、またはブロワの駆動源としてモータに取り付けることができる。
【図面の簡単な説明】
【００３８】
【図１】本発明の一実施形態を示す回転部材の分解斜視図である。
【図２】回り止め部材の縦断面図である。
【図３】図２におけるＡ−Ａ線断面図である。
【符号の説明】
【００３９】
１０  回転部材
１２  羽根車
１４  回転軸
１６  回り止め部材
１８  クッション部材
２０  ブラケット
２４  ボス
２８  収納空間
３２  保持孔
３４  第１凹部
３８  貫通孔
４２  第２凹部
４６  固定孔
【図１】
2005172121.tif 000003
【図２】
2005172121.tif 000004
【図３】
2005172121.tif 000005